(57)【特許請求の範囲】
【請求項１】
原稿台と、
前記原稿台に載置された原稿の画像を読み取る撮像素子が設けられたキャリッジと、
前記キャリッジの往路移動方向前方に設けられ、ＮＦＣ（Near Field Communication）タグの副走査方向での位置を検出する第１のアンテナユニットと、
前記キャリッジの往路移動方向後方に設けられ、前記原稿台に対して少なくとも前記原稿の主走査方向の全体にわたって前記主走査方向に並設された複数のアンテナを有し、前記ＮＦＣタグの前記主走査方向での位置を検出する第２のアンテナユニットと
を有し、前記キャリッジに設けられたアンテナユニットと、
前記第２のアンテナユニットを介して前記ＮＦＣタグに書き込まれた情報を読み出すＮＦＣリーダーと、
前記キャリッジを、前記原稿台に対して前記副走査方向に往復移動させ、往路において、
前記原稿に設けられた前記ＮＦＣタグの前記副走査方向での位置を、前記第１のアンテナユニットを介して検出し、
前記第２のアンテナユニットと、検出した前記副走査方向での位置にある前記ＮＦＣタグとが通信可能な位置で、前記キャリッジを停止させ、
前記第２のアンテナユニットの前記複数のアンテナを、１つずつ順に有効化し、
前記ＮＦＣタグの前記主走査方向での位置を、前記第２のアンテナユニットの有効化した１つのアンテナを介して検出し、
前記ＮＦＣリーダーに、前記ＮＦＣタグに書き込まれた情報を、前記有効化した１つのアンテナを介して読み出させる
制御部
とを具備する画像読取装置。
【請求項２】
請求項１に記載の画像読取装置であって、
前記第１のアンテナユニットは、少なくとも前記原稿の前記主走査方向の全体にわたって前記ＮＦＣタグを検出可能な位置にある
画像読取装置。
【請求項３】
請求項１又は２に記載の画像読取装置であって、
前記制御部は、前記第１のアンテナユニットが電磁誘導により金属を探知したときの前記第１のアンテナユニットの位置を、前記ＮＦＣタグの副走査方向の位置として検出する
画像読取装置。
【請求項４】
原稿台と、
前記原稿台に載置された原稿の画像を読み取る撮像素子が設けられたキャリッジと、
前記キャリッジの往路移動方向前方に設けられ、ＮＦＣ（Near Field Communication）タグの副走査方向での位置を検出する第１のアンテナユニットと、
前記キャリッジの往路移動方向後方に設けられ、前記原稿台に対して少なくとも前記原稿の主走査方向の全体にわたって前記主走査方向に並設された複数のアンテナを有し、前記ＮＦＣタグの前記主走査方向での位置を検出する第２のアンテナユニットと
を有し、前記キャリッジに設けられたアンテナユニットと、
前記第２のアンテナユニットを介して前記ＮＦＣタグに書き込まれた情報を読み出すＮＦＣリーダーと
を有する画像読取装置のコンピューターを、
前記キャリッジを、前記原稿台に対して前記副走査方向に往復移動させ、往路において、
前記原稿に設けられた前記ＮＦＣタグの前記副走査方向での位置を、前記第１のアンテナユニットを介して検出し、
前記第２のアンテナユニットと、検出した前記副走査方向での位置にある前記ＮＦＣタグとが通信可能な位置で、前記キャリッジを停止させ、
前記第２のアンテナユニットの前記複数のアンテナを、１つずつ順に有効化し、
前記ＮＦＣタグの前記主走査方向での位置を、前記第２のアンテナユニットの有効化した１つのアンテナを介して検出し、
前記ＮＦＣリーダーに、前記ＮＦＣタグに書き込まれた情報を、前記有効化した１つのアンテナを介して読み出させる
制御部として機能させるプログラム。
【発明の詳細な説明】
【技術分野】
【０００１】
本発明は、スキャン対象の原稿に設けられた記憶媒体に電子的に書き込まれた情報を読み出すことが可能な画像読取装置及びプログラムに関する。
【背景技術】
【０００２】
キャリッジに主走査方向に沿って複数のアンテナを設置し、スキャン対象の原稿に設けられた小型の記憶媒体に電子的に書き込まれた情報を読み出すことが可能な画像読取装置（スキャナー）が知られている（特許文献１〜特許文献３参照）。
【０００３】
特許文献１によれば、主走査方向に複数のアンテナを並べたアンテナアレイにより、読み取り対象物内にあるＩＣチップを検出する。具体的には、アンテナアレイ内のアンテナを１つずつ順にアクティブとし、アンテナアレイの検出範囲にＩＣチップが存在しない場合、アンテナアレイを１ライン移動して、再びアンテナを１つずつ順にアクティブにすることを繰り返す。
【先行技術文献】
【特許文献】
【０００４】
【特許文献１】特開２００１−０２４８４５号公報（００１８〜００２２段落）
【特許文献２】特開２００７−３００５２４号公報（００４６段落）
【特許文献３】特開２００９−１８９０６９号公報（００４０段落）
【発明の概要】
【発明が解決しようとする課題】
【０００５】
特許文献１の方法では、ＩＣチップを検出する時間を確保するために、キャリッジを移動させるモーターを１ライン毎に停止させねばならず、スキャンの速度の低下に繋がる。
【０００６】
以上のような事情に鑑み、本発明の目的は、スキャン対象の原稿に設けられた記憶媒体に電子的に書き込まれた情報を読み出すことが可能な画像読取装置において、より高速に情報を読み出すことにある。
【課題を解決するための手段】
【０００７】
上記目的を達成するため、本発明の一形態に係る画像読取装置は、
原稿台と、
前記原稿台に載置された原稿の画像を読み取る撮像素子が設けられたキャリッジと、
前記キャリッジに設けられたアンテナユニットと、
前記キャリッジを、前記原稿台に対して副走査方向に往復移動させ、
前記原稿に設けられたＮＦＣ（Near Field Communication）タグの前記副走査方向での位置を、前記アンテナユニットを介して検出し、その後、
前記ＮＦＣタグの主走査方向での位置を、前記アンテナユニットを介して検出する
制御部
とを具備する。
【０００８】
これにより、先ずはＮＦＣタグの副走査方向での位置を（いわば粗く）検出するだけでよい。ＮＦＣタグが存在すると判明している位置にアンテナユニットが到達したときのみ、ＮＦＣタグの主走査方向での位置を検出するので、ＮＦＣタグの検出に要するキャリッジの停止時間を最小限に抑えることができる。これにより、キャリッジの往復に掛かる時間を最小限に抑えることができる。
【０００９】
前記制御部は、
往路において、前記アンテナユニットを介して、前記ＮＦＣタグの前記副走査方向での位置を検出し、
復路において、前記アンテナユニットを介して、前記ＮＦＣタグの前記主走査方向での位置を検出する。
【００１０】
これにより、往路において、ＮＦＣタグの副走査方向での位置を（いわば粗く）検出するだけでよいので、通常時のスキャン速度に比べてキャリッジの移動の速度を落とす必要が無い。復路において、キャリッジは、ＮＦＣタグが存在すると判明している位置でのみ停止し、ＮＦＣタグの主走査方向での位置を検出する。このように、ＮＦＣタグの主走査方向での位置の検出に要するキャリッジの停止時間を最小限に抑えることができる。これにより、キャリッジの往復に掛かる時間を最小限に抑えることができる。
【００１１】
前記アンテナユニットは、前記原稿台に対して前記主走査方向に並設された複数のアンテナを有し、
前記制御部は、前記往路において、前記複数のアンテナのうち、少なくとも前記原稿の前記主走査方向の全体にわたって前記ＮＦＣタグを検出可能な位置にある１以上の前記アンテナを有効化する。
【００１２】
典型的には、前記制御部は、前記往路において、全ての前記複数のアンテナを有効化する。
【００１３】
これにより、複数のアンテナにより、主走査方向全体にわたってＮＦＣタグを検出することができる。
【００１４】
画像読取装置は、
前記アンテナユニットを介して前記ＮＦＣタグに書き込まれた情報を読み出すＮＦＣリーダー
をさらに具備する。
【００１５】
前記制御部は、前記復路において、
前記アンテナユニットと、前記検出した副走査方向での位置にあるＮＦＣタグとが通信可能な位置で、前記キャリッジを停止させ、
前記複数のアンテナを、１つずつ順に有効化し、
有効化した１つのアンテナを介して、前記ＮＦＣタグを検出すると、
前記ＮＦＣリーダーに、前記ＮＦＣタグに書き込まれた情報を、前記アンテナを介して読み出させる。
【００１６】
これにより、復路において、キャリッジは、ＮＦＣタグが存在すると判明している位置でのみ停止し、ＮＦＣタグの主走査方向での位置を検出し、ＮＦＣタグに書き込まれた情報を読みだす。このように、ＮＦＣタグの主走査方向での位置の検出及び情報の読み出しに要するキャリッジの停止時間を最小限に抑えることができる。これにより、キャリッジの往復に掛かる時間を最小限に抑えることができる。
【００１７】
前記制御部は、前記往路において、前記ＮＦＣリーダーが前記アンテナユニットを介して前記ＮＦＣタグとＮＦＣ通信を開始したときの前記アンテナユニットの位置を、前記ＮＦＣタグの副走査方向の位置として検出する。
【００１８】
あるいは、前記制御部は、前記往路において、前記アンテナユニットが電磁誘導により金属を探知したときの前記アンテナユニットの位置を、前記ＮＦＣタグの副走査方向の位置として検出する。
【００１９】
これにより、往路において、単にＮＦＣ通信の有無又は電磁誘導によりＮＦＣタグの副走査方向での位置を（いわば粗く）検出するだけでよいので、通常時のスキャン速度に比べてキャリッジの移動の速度を落とす必要が無い。
【００２０】
本発明の別の一形態によれば、前記アンテナユニットは、
前記キャリッジの往路移動方向前方に設けられ、前記ＮＦＣタグの前記副走査方向での位置を検出する第１のアンテナユニットと、
前記キャリッジの往路移動方向後方に設けられ、前記ＮＦＣタグの前記主走査方向での位置を検出する第２のアンテナユニットと
を有する。
【００２１】
これにより、ＮＦＣタグの副走査方向での位置の検出に、専用の第１のアンテナユニットを用いる。そして、第２のアンテナユニットは、ＮＦＣタグの主走査方向での位置の検出にのみ用いる。このため、復路の処理が不要となるため、制御部の処理がより簡素化される。
【００２２】
前記第１のアンテナユニットは、少なくとも前記原稿の前記主走査方向の全体にわたって前記ＮＦＣタグを検出可能な位置にある。
【００２３】
これにより、第１のアンテナユニットにより、主走査方向全体にわたってＮＦＣタグを検出することができる。
【００２４】
画像読取装置は、
前記第２のアンテナユニットを介して前記ＮＦＣタグに書き込まれた情報を読み出すＮＦＣリーダー
をさらに具備する。
【００２５】
前記第２のアンテナユニットは、前記原稿台に対して少なくとも前記原稿の前記主走査方向の全体にわたって主走査方向に並設された複数のアンテナを有し、
前記制御部は、
前記第２のアンテナユニットと、前記検出した副走査方向での位置にあるＮＦＣタグとが通信可能な位置で、前記キャリッジを停止させ、
前記複数のアンテナを、１つずつ順に有効化し、
有効化した１つのアンテナを介して、前記ＮＦＣタグを検出すると、
前記ＮＦＣリーダーに、前記ＮＦＣタグに書き込まれた情報を、前記アンテナを介して読み出させる。
【００２６】
これにより、キャリッジは、ＮＦＣタグが存在すると判明している位置でのみ停止し、第２のアンテナユニットを用いて、ＮＦＣタグの主走査方向での位置を検出し、ＮＦＣタグに書き込まれた情報を読みだす。このように、ＮＦＣタグの主走査方向での位置の検出及び情報の読み出しに要するキャリッジの停止時間を最小限に抑えることができる。これにより、キャリッジの往復に掛かる時間を最小限に抑えることができる。
【００２７】
前記制御部は、前記第１のアンテナユニットが電磁誘導により金属を探知したときの前記第１のアンテナユニットの位置を、前記ＮＦＣタグの副走査方向の位置として検出する。
【００２８】
これにより、第１のアンテナユニットは、単に電磁誘導によりＮＦＣタグの副走査方向での位置を（いわば粗く）検出するだけでよいので、通常時のスキャン速度に比べてキャリッジの移動の速度を落とす必要が無い。
【００２９】
上記目的を達成するため、本発明の一形態に係るプログラムは、
原稿台と、前記原稿台に載置された原稿の画像を読み取る撮像素子が設けられたキャリッジと、前記キャリッジに設けられたアンテナユニットとを有する画像読取装置のコンピューターを、
前記キャリッジを、前記原稿台に対して副走査方向に往復移動させ、
前記原稿に設けられたＮＦＣタグの前記副走査方向での位置を、前記アンテナユニットを介して検出し、その後、
前記ＮＦＣタグの主走査方向での位置を、前記アンテナユニットを介して検出する
制御部として機能させる。
【発明の効果】
【００３０】
以上のように、本発明によれば、スキャン対象の原稿に設けられた記憶媒体に電子的に書き込まれた情報を読み出すことが可能な画像読取装置において、より高速に情報を読み出すことができる。
【図面の簡単な説明】
【００３１】
【図１】本発明の第１の実施形態に係る画像読取装置のハードウェア構成を示すブロック図である。
【図２】第１の実施形態に係る画像読取装置の動作の概要を説明するための模式図である。
【図３】第１の実施形態に係る画像読取装置の動作の詳細を説明するためのフローチャートである。
【図４】本発明の第２の実施形態に係る画像読取装置のハードウェア構成を示すブロック図である。
【図５】第２の実施形態に係る画像読取装置の動作の概要を説明するための模式図である。
【図６】第２の実施形態に係る画像読取装置の動作の詳細を説明するためのフローチャートである。
【発明を実施するための形態】
【００３２】
以下、図面を参照しながら、本発明の各実施形態を説明する。
【００３３】
（１．第１の実施形態）
（１−１．画像読取装置のハードウェア構成）
図１は、本発明の第１の実施形態に係る画像読取装置のハードウェア構成を示すブロック図である。
【００３４】
画像読取装置１は、典型的には、ＭＦＰ（Multifunction Peripheral）やスキャナー等である。
【００３５】
画像読取装置１は、制御部１１、撮像素子１２、ＮＦＣアンテナユニット２０、ＮＦＣリーダー１３、駆動機構１４、操作部１６及び記憶部１７を少なくとも有する。
【００３６】
制御部１１は、ＣＰＵ、ＲＡＭ、ＲＯＭ及び専用のハードウェア回路等から構成され、画像読取装置１の全体的な動作制御を司る。制御部１１は、上記各部と接続され、各部の動作制御や、各部との間での信号又はデータの送受信を行う。制御部１１は、自身のＲＡＭにＮＦＣタグ３２の位置を記憶する。
【００３７】
撮像素子１２は、原稿台３０（図２に示す）に載置された原稿３１（図２に示す）の画像を読み取り、電気信号に変換する。撮像素子１２は、例えば、ＣＣＤ（Charge-Coupled Device）イメージセンサである。
【００３８】
ＮＦＣアンテナユニット２０は、複数のアンテナ２１〜２４を有する。アンテナ２１〜２４は、近距離無線通信（ＮＦＣ通信）を行うためのアンテナであり、ＮＦＣタグ３２との間で、ＮＦＣ通信で発生する電波を送受信する。制御部１１は、アンテナ２１〜２４を独立して個別に、有効化／無効化する。
【００３９】
ＮＦＣリーダー１３は、ＮＦＣアンテナユニット２０のアンテナ２１〜２４を介して、ＮＦＣタグ３２に書き込まれた情報を読み出す。
【００４０】
少なくとも撮像素子１２及びＮＦＣアンテナユニット２０は、キャリッジ１５に搭載される。
【００４１】
駆動機構１４は、モーター等を有し、キャリッジ１５を移動させる。
【００４２】
操作部１６は、画像読取装置１が実行可能な各種動作及び処理についてユーザーからの指示を受け付ける。
【００４３】
記憶部１７は、ハードディスクドライブその他の不揮発性メモリーであって、ＮＦＣタグ３２から読み出された情報を記憶する。
【００４４】
（１−２．画像読取装置の動作の概要）
図２は、第１の実施形態に係る画像読取装置の動作の概要を説明するための模式図である。
【００４５】
原稿台３０に、原稿３１が載置される。原稿３１には、ＮＦＣタグ３２が設けられている。例えば、シール状のＮＦＣタグ３２が、原稿３１に貼り付けられている。ＮＦＣタグ３２には、既に情報が書き込まれている。
【００４６】
キャリッジ１５には、ＮＦＣアンテナユニット２０のアンテナ（コイル）２１〜２４が設けられる。アンテナ２１〜２４は、原稿台３０に対して主走査方向に並設される。より詳細には、アンテナ２１〜２４は、原稿台３０において原稿３１を載置可能な領域３３の主走査方向全体にわたって（つまり、領域３３の主走査方向の一方の端部から他方の端部にわたる範囲で）ＮＦＣ通信を行うことが可能なように、キャリッジ１５に設けられる。例えば、アンテナ２１〜２４は、図２に示すように、原稿台３０の原稿３１を載置可能な領域３３の主走査方向全体にわたって、均等に配置される。
【００４７】
制御部１１は、駆動機構１４を制御することにより、キャリッジ１５を原稿台３０に対して副走査方向に往復移動させる。これにより、アンテナ２１〜２４は、原稿台３０において原稿３１の載置が想定される領域３３の副走査方向全体にわたって（つまり、領域３３の副走査方向の一方の端部から他方の端部にわたる範囲で）ＮＦＣ通信を行うことが可能となる。
【００４８】
以上の構成により、アンテナ２１〜２４は、原稿台３０において原稿３１の載置が想定される領域３３全体において、ＮＦＣ通信を行うことが可能となる。
【００４９】
アンテナ２１〜２４は、それぞれ、各アンテナを中心とした特定範囲にあるＮＦＣタグ３２とＮＦＣ通信を行うことができる。例えば、アンテナ２１〜２４は、それぞれ、各アンテナと少なくとも一部が対面するＮＦＣタグ３２とＮＦＣ通信を行うことができる感度を有していてもよいし、それ以上の感度を有していてもよい。
【００５０】
撮像素子１２が原稿台３０に載置された原稿３１の画像を読み取るためにキャリッジ１５が往路方向に移動（以下、単に「往路移動」と称する）する際（図２中、矢印方向）、キャリッジ１５に設けられたＮＦＣアンテナユニット２０は、原稿３１に設けられたＮＦＣタグ３２の副走査方向での位置を検出する。
【００５１】
キャリッジ１５が初期位置Ｉに戻るために復路方向に移動（以下、単に「復路移動」と称する）する際、キャリッジ１５に設けられたＮＦＣアンテナユニット２０は、原稿３１に設けられたＮＦＣタグ３２の主走査方向での位置を検出し、検出したＮＦＣタグ３２との間でＮＦＣ通信を行う。ＮＦＣリーダー１３は、ＮＦＣアンテナユニット２０を介して、ＮＦＣタグ３２に書き込まれた情報を読み出す。
【００５２】
（１−３．画像読取装置の動作の詳細）
図３は、第１の実施形態に係る画像読取装置の動作（ＮＦＣタグに書き込まれた情報を読み出すための動作）の詳細を説明するためのフローチャートである。
【００５３】
制御部１１は、操作部１６に対するユーザーからの特定の操作を、原稿台３０に載置された原稿３１の画像を読み取るための画像読取（スキャン）命令として検出する（ステップＳ１０１）。制御部１１は、画像読取命令を検出すると、ＮＦＣアンテナユニット２０の全てのアンテナ２１〜２４を有効化し（ステップＳ１０２）、駆動機構１４を制御して、初期位置Ｉにあるキャリッジ１５を副走査方向に往路移動させる（ステップＳ１０３）。なお、キャリッジ１５の移動速度は、通常時のスキャン速度と同じである。
【００５４】
制御部１１は、ＮＦＣアンテナユニット２０を介して、原稿３１に設けられたＮＦＣタグ３２の副走査方向での位置を検出する（ステップＳ１０４、ＹＥＳ）。制御部１１は、検出したＮＦＣタグ３２の副走査方向での位置を記憶する（ステップＳ１０５）。なお、１枚の原稿に複数のＮＦＣタグが設けられている可能性もある。副走査方向に複数のＮＦＣタグが設けられている場合、制御部１１は、複数の位置を検出及び記憶する。一方、主走査方向に複数のＮＦＣタグが設けられている場合、制御部１１は、複数のＮＦＣタグの位置をまとめて１つの位置として（即ち、複数のＮＦＣタグを区別せずに）検出及び記憶する。
【００５５】
ＮＦＣタグ３２を検出する方法の具体例として、制御部１１は、ＮＦＣリーダー１３がＮＦＣアンテナユニット２０（厳密には、アンテナ２１〜２４の少なくとも何れか１つ）を介してＮＦＣタグ３２とＮＦＣ通信を開始したときのＮＦＣアンテナユニット２０の位置を、ＮＦＣタグ３２の副走査方向での位置として検出する。あるいは、制御部１１は、ＮＦＣアンテナユニット２０が電磁誘導により金属（ＮＦＣタグ３２）を探知したときのＮＦＣアンテナユニット２０の位置を、ＮＦＣタグ３２の副走査方向での位置として検出する。このような検出方法によれば、制御部１１は、往路において、ＮＦＣタグ３２の副走査方向での位置を検出するためにキャリッジ１５を停止することは無い。なお、本実施形態では全てのアンテナ２１〜２４を有効化したが（ステップＳ１０２）、この方法を実現するため、複数のアンテナ２１〜２４のうち、少なくとも原稿３１の主走査方向全体にわたって（つまり、原稿３１の主走査方向の一方の端部から他方の端部にわたる範囲を）検出可能な位置にある１以上のアンテナを有効化してもよい。
【００５６】
制御部１１は、原稿３１の終端までキャリッジ１５を移動すると（ステップＳ１０６、ＹＥＳ）、駆動機構１４を制御してキャリッジ１５の往路移動を停止する。制御部１１は、ＮＦＣアンテナユニット２０の全てのアンテナ２１〜２４を無効化し（ステップＳ１０７）、駆動機構１４を制御して、キャリッジ１５を副走査方向に復路移動させる（ステップＳ１０８）。なお、キャリッジ１５の移動速度は、通常時の初期位置Ｉへの復帰速度と同じである。
【００５７】
制御部１１は、キャリッジ１５の移動先に、副走査方向での位置を記憶（ステップＳ１０５）したＮＦＣタグ３２のうち、後述のステップＳ１１３〜Ｓ１１７の処理を行っていないＮＦＣ３２が存在するか否かを判断する（ステップＳ１０９）。制御部１１は、復路にＮＦＣタグ３２が存在しないと判断すると（ステップＳ１０９、ＮＯ）、キャリッジ１５を初期位置Ｉまで移動させる（ステップＳ１１０）。
【００５８】
一方、制御部１１は、復路にＮＦＣタグ３２が存在すると判断すると（ステップＳ１０９、ＹＥＳ）、キャリッジ１５を移動し（ステップＳ１１１）、記憶（ステップＳ１０５）したＮＦＣタグ３２の副走査方向での位置にＮＦＣアンテナユニット２０を到達させる（ステップＳ１１２）。制御部１１は、ＮＦＣタグ３２の副走査方向での位置にＮＦＣアンテナユニット２０を到達させると（ステップＳ１１２、ＹＥＳ）、駆動機構１４を制御して、キャリッジ１５を停止させる（ステップＳ１１３）。
【００５９】
制御部１１は、キャリッジ１５を停止させると、無効化（ステップＳ１０７）されているアンテナ２１〜２４のうち、１つのアンテナ（例えば、アンテナ２１）を有効化する（ステップＳ１１４）。制御部１１は、ＮＦＣリーダー１３がアンテナ２１を介してＮＦＣタグ３２に書き込まれた情報を読み出したか否か判断する（ステップＳ１１５）。アンテナ２１を介した情報の読み出しに成功した場合（ステップＳ１１５、ＹＥＳ）、制御部１１は、読み出した情報を記憶部１７に記憶する（ステップＳ１１６）。
【００６０】
一方、アンテナ２１を介した情報の読み出しに失敗した場合（ステップＳ１１５、ＮＯ）、制御部１１は、アンテナ２１を無効化し、別の１つのアンテナ（例えば、アンテナ２２）を有効化し（ステップＳ１１７）、読み出しの成否を判断し（ステップＳ１１５）、成功した場合に読み出した情報を記憶部１７に記憶する（ステップＳ１１６）。制御部１１は、アンテナ２１〜２４を１つずつ順に有効化し、且つ、有効化した１つのアンテナ以外は無効化し、全て（ステップＳ１１８）のアンテナ２１〜２４を介して情報の読み出しを試みる。なお、主走査方向に複数のＮＦＣタグが設けられている場合、制御部１１は、複数のアンテナそれぞれを介して、それぞれのＮＦＣタグに書き込まれた情報を読み出し、読み出した複数の情報を記憶部１７に記憶する。
【００６１】
制御部１１は、全てのアンテナ２１〜２４を介して情報の読み出しを試みると（ステップＳ１１８、ＹＥＳ）、ステップＳ１０９に戻る。副走査方向に複数のＮＦＣタグが設けられている場合（ステップＳ１０９、ＹＥＳ）、制御部１１は、ステップＳ１１１以下のフローを繰り返し、全て（ステップＳ１０９、ＮＯ）のＮＦＣタグに書き込まれた情報を読み出し、記憶部１７に記憶する。
【００６２】
（１−４．まとめ）
従来より、キャリッジの主走査方向に複数のアンテナを並べたアンテナアレイ内のアンテナを１つずつ順にアクティブとし、アンテナアレイの検出範囲にＩＣチップが存在しない場合、アンテナアレイを１ライン移動して、再びアンテナを１つずつ順にアクティブにすることを繰り返すことで、読み取り対象物内にあるＩＣチップを検出する技術が知られている。この方法では、ＩＣチップを検出する時間を確保するために、キャリッジを移動させるモーターを１ライン毎に停止させねばならず、スキャンの速度の低下に繋がる。
【００６３】
これに対して、本実施形態によれば、画像読取装置１は、キャリッジ１５が往路移動するとき（ステップＳ１０１〜Ｓ１０６）、ＮＦＣタグ３２の副走査方向での位置を検出し（ステップＳ１０４）、キャリッジ１５が復路移動するとき（ステップＳ１０７〜Ｓ１１８）、ＮＦＣタグ３２の主走査方向での位置を検出してＮＦＣタグ３２に書き込まれた情報を読み出す（ステップＳ１１５）。
【００６４】
このように、往路において、単にＮＦＣ通信の有無又は（言わばアナログな）電磁誘導によりＮＦＣタグ３２の副走査方向での位置を（いわば粗く）検出するだけでよいので、通常時のスキャン速度に比べてキャリッジ１５の移動の速度を落とす必要が無い。復路において、キャリッジ１５は、往路で検出したＮＦＣタグ３２の副走査方向での位置でのみ停止し、ＮＦＣタグ３２に書き込まれた情報を読み出す。このように、ＮＦＣタグ３２が存在すると判明している位置でのみキャリッジ１５が停止し、ＮＦＣタグ３２に書き込まれた情報を読み出すので、ＮＦＣタグ３２の主走査方向での位置の検出及び情報の読み出しに要するキャリッジ１５の停止時間を最小限に抑えることができる。これにより、キャリッジ１５の往復に掛かる時間を最小限に抑えることができる。また１つのＮＦＣアンテナユニット２０でＮＦＣタグ３２の副走査方向での位置及び主走査方向での位置を検出するので、部品点数を削減しキャリッジ１５を小型化することができる。
【００６５】
また、本実施形態によれば、制御部１１は、副走査方向に設けられた複数のＮＦＣタグの位置を検出することが可能であり（ステップＳ１０４）、主走査方向に設けられた複数のＮＦＣタグに書き込まれた情報を読み出すことが可能である（ステップＳ１１４〜Ｓ１１８）。これにより、１枚の原稿に複数のＮＦＣタグが設けられていても、全てのＮＦＣタグに書き込まれた情報を読み出すことができる。
【００６６】
（２．第２の実施形態）
第２の実施形態の構成及び動作等について第１の実施形態の構成及び動作等と同様のものは説明を省略し、異なる点を中心に説明する。
【００６７】
（２−１．画像読取装置のハードウェア構成）
図４は、本発明の第２の実施形態に係る画像読取装置のハードウェア構成を示すブロック図である。
【００６８】
画像読取装置１Ａは、第１の実施形態の画像読取装置１と同様の制御部１１Ａ、撮像素子１２、ＮＦＣアンテナユニット２０（第２のアンテナユニット）、ＮＦＣリーダー１３、駆動機構１４、操作部１６及び記憶部１７に加えて、金属探知アンテナ１８（第１のアンテナユニット）を少なくとも有する。金属探知アンテナ１８は、キャリッジ１５Ａに搭載され、電磁誘導により金属を探知する。
【００６９】
（２−２．画像読取装置の動作の概要）
図５は、第２の実施形態に係る画像読取装置の動作の概要を説明するための模式図である。
【００７０】
キャリッジ１５Ａには、金属探知アンテナ１８と、ＮＦＣアンテナユニット２０のアンテナ２１〜２４とが設けられる。金属探知アンテナ１８は、キャリッジ１５Ａの往路移動方向前方に設けられ、ＮＦＣアンテナユニット２０は、キャリッジ１５Ａの往路移動方向後方に設けられる。
金属探知アンテナ１８は、原稿台３０において原稿３１を載置可能な領域３３の主走査方向全体にわたって（つまり、領域３３の主走査方向の一方の端部から他方の端部にわたる範囲で）電磁誘導により金属を探知することが可能なように、キャリッジ１５に設けられる。例えば、金属探知アンテナ１８は、図５に示すように、原稿台３０において原稿３１を載置可能な領域３３の主走査方向全体にわたって配置される。金属探知アンテナ１８は、典型的には、１つのアンテナ（コイル）を有する。  
【００７１】
制御部１１Ａは、駆動機構１４を制御することにより、キャリッジ１５Ａを原稿台３０に対して副走査方向に往復移動させる。これにより、金属探知アンテナ１８は、原稿台３０において原稿３１の載置が想定される領域３３の副走査方向全体にわたって（つまり、領域３３の副走査方向の一方の端部から他方の端部にわたる範囲で）金属探知を行うことが可能となる。
なお、ＮＦＣアンテナユニット２０は、第１の実施形態と同様の構成であり、第１の実施形態と同様にして、原稿台３０において原稿３１の載置が想定される領域３３全体において、ＮＦＣ通信を行うことが可能である。
【００７２】
撮像素子１２が原稿台３０に載置された原稿３１の画像を読み取るためにキャリッジ１５が往路移動する際（図５中、矢印方向）、キャリッジ１５Ａに設けられた金属探知アンテナ１８は、電磁誘導により、原稿３１に設けられたＮＦＣタグ３２の副走査方向での位置を検出する。
【００７３】
キャリッジ１５Ａが往路移動する際、キャリッジ１５Ａに設けられたＮＦＣアンテナユニット２０は、原稿３１に設けられたＮＦＣタグ３２の主走査方向での位置を検出し、検出したＮＦＣタグ３２との間でＮＦＣ通信を行う。ＮＦＣリーダー１３は、ＮＦＣアンテナユニット２０を介して、ＮＦＣタグ３２に書き込まれた情報を読み出す。
【００７４】
（２−３．画像読取装置の動作の詳細）
図６は、第２の実施形態に係る画像読取装置の動作（ＮＦＣタグに書き込まれた情報を読み出すための動作）の詳細を説明するためのフローチャートである。
【００７５】
前提として、ＮＦＣアンテナユニット２０のアンテナ２１〜２４は、典型的には、無効化されている。
【００７６】
制御部１１Ａは、操作部１６に対するユーザーからの特定の操作を、原稿台３０に載置された原稿３１の画像を読み取るための画像読取（スキャン）命令として検出する（ステップＳ１０１Ａ）。制御部１１Ａは、画像読取命令を検出すると、駆動機構１４を制御して、初期位置Ｉにあるキャリッジ１５Ａを副走査方向に往路移動させる（ステップＳ１０３Ａ）。なお、キャリッジ１５の移動速度は、通常時のスキャン速度と同じである。
【００７７】
制御部１１Ａは、金属探知アンテナ１８を介して、原稿３１に設けられたＮＦＣタグ３２の副走査方向での位置を検出する（ステップＳ１０４Ａ、ＹＥＳ）。制御部１１Ａは、検出したＮＦＣタグ３２Ａの副走査方向での位置を記憶する（ステップＳ１０５Ａ）。
【００７８】
制御部１１Ａは、キャリッジ１５Ａを移動し、記憶（ステップＳ１０５Ａ）したＮＦＣタグ３２の副走査方向での位置にＮＦＣアンテナユニット２０を到達させる（ステップＳ１１２Ａ）。制御部１１Ａは、ＮＦＣタグ３２の副走査方向での位置にＮＦＣアンテナユニット２０を到達させると（ステップＳ１１２Ａ、ＹＥＳ）、駆動機構１４を制御して、キャリッジ１５Ａを停止させる（ステップＳ１１３Ａ）。
【００７９】
制御部１１Ａは、キャリッジ１５Ａを停止させると、アンテナ２１〜２４のうち、１つのアンテナ（例えば、アンテナ２１）を有効化する（ステップＳ１１４Ａ）。制御部１１Ａは、ＮＦＣリーダー１３がアンテナ２１を介してＮＦＣタグ３２に書き込まれた情報を読み出したか否か判断する（ステップＳ１１５Ａ）。アンテナ２１を介した情報の読み出しに成功した場合（ステップＳ１１５Ａ、ＹＥＳ）、制御部１１Ａは、読み出した情報を記憶部１７に記憶する（ステップＳ１１６Ａ）。
【００８０】
一方、アンテナ２１を介した情報の読み出しに失敗した場合（ステップＳ１１５Ａ、ＮＯ）、制御部１１Ａは、アンテナ２１を無効化し、別の１つのアンテナ（例えば、アンテナ２２）を有効化し（ステップＳ１１７Ａ）、読み出しの成否を判断し（ステップＳ１１５Ａ）、成功した場合に読み出した情報を記憶部１７に記憶する（ステップＳ１１６Ａ）。制御部１１Ａは、アンテナ２１〜２４を１つずつ順に有効化し、且つ、有効化した１つのアンテナ以外は無効化し、全て（ステップＳ１１８Ａ）のアンテナ２１〜２４を介して情報の読み出しを試みる。
【００８１】
制御部１１Ａは、全てのアンテナ２１〜２４を介して情報の読み出しを試みると（ステップＳ１１８Ａ、ＹＥＳ）、駆動機構１４を制御して、原稿３１の終端までキャリッジ１５Ａを移動し（ステップＳ１０６Ａ、ＹＥＳ）、キャリッジ１５Ａを副走査方向に復路移動させ、初期位置Ｉへ復帰させる（ステップＳ１０８Ａ）。なお、キャリッジ１５の移動速度は、通常時の初期位置Ｉへの復帰速度と同じである。
【００８２】
（２−４．まとめ）
本実施形態によれば、画像読取装置１Ａは、キャリッジ１５Ａが往路移動するとき、金属探知アンテナ１８を用いてＮＦＣタグ３２の副走査方向での位置を検出し（ステップＳ１０４Ａ）、ＮＦＣアンテナユニット２０を用いてＮＦＣタグ３２の主走査方向での位置を検出してＮＦＣタグ３２に書き込まれた情報を読み出す（ステップＳ１１５Ａ）。
【００８３】
このように、先ずは金属探知アンテナ１８を用いて、単に電磁誘導によりＮＦＣタグ３２の副走査方向での位置を（いわば粗く）検出するだけでよいので、通常時のスキャン速度に比べてキャリッジ１５Ａの移動の速度を落とす必要が無い。検出したＮＦＣタグ３２の副走査方向での位置にＮＦＣアンテナユニット２０が到達したときのみ、キャリッジ１５Ａが停止してＮＦＣタグ３２に書き込まれた情報を読み出す。このように、ＮＦＣタグ３２が存在すると判明している位置にＮＦＣアンテナユニット２０が到達したときのみ、キャリッジ１５Ａが停止し、ＮＦＣタグ３２に書き込まれた情報を読み出すので、ＮＦＣタグ３２の主走査方向での位置の検出及び情報の読み出しに要するキャリッジ１５の停止時間を最小限に抑えることができる。これにより、キャリッジ１５の往復に掛かる時間を最小限に抑えることができる。
【００８４】
また、本実施形態によれば、第１の実施形態と異なり、ＮＦＣタグ３２の副走査方向での位置の検出に、ＮＦＣアンテナユニット２０を用いず、専用の金属探知アンテナ１８を用いる。そして、ＮＦＣアンテナユニット２０は、ＮＦＣタグ３２の主走査方向での位置の検出及び情報の読み取りにのみ用いる。このため、第１の実施形態のステップＳ１０２（全てのアンテナ２１〜２４を有効化）及びステップＳ１０７（全てのアンテナ２１〜２４を無効化）等の処理が不要であり、また、復路の処理が不要となるため、制御部１１Ａの処理が第１の実施形態より簡素化される。
【００８５】
なお、図２に示すステップＳ１１５及び図５に示すステップＳ１１５Ａにおいて、アンテナ２１〜２４がＮＦＣタグ３２から情報を読み出したとき、既に同じＮＦＣ３２から読み出された情報が記憶部１７に記憶されている場合、図２に示すステップＳ１１６及び図５に示すステップＳ１１６Ａにおいて、制御部１１、１１Ａは読み出された情報を上書きしてもよいし、削除してもよい。
【符号の説明】
【００８６】
１、１Ａ…画像読取装置
１１、１１Ａ…制御部
１２…撮像素子
１３…ＮＦＣリーダー
１４…駆動機構
１５、１５Ａ…キャリッジ
１６…操作部
１８…金属探知アンテナ
２０…ＮＦＣアンテナユニット
２１、２２、２３、２４…アンテナ
３０…原稿台
３１…原稿
３２…ＮＦＣタグ
【図１】
0006565741.tif 000002
【図２】
0006565741.tif 000003
【図３】
0006565741.tif 000004
【図４】
0006565741.tif 000005
【図５】
0006565741.tif 000006
【図６】
0006565741.tif 000007